(57)【要約】【課題】後処理装置側で正しい用紙情報が設定されていない場合でも停止時の残留用紙を少なくし、設定が正常な場合の作像の生産性を高くする。【解決手段】用紙に画像を形成する画像形成部と、前記用紙を画像形成のタイミングに合わせて搬送し、後続の後処理装置に向けて前記用紙を送り出す搬送部と、前記画像形成部での画像形成と前記搬送部での搬送とを制御する制御部と、を備え前記後処理装置を接続可能な画像形成装置であって、前記制御部は、所定枚数の前記用紙を前記後処理装置に搬送した時点で搬送を一時中断し、前記後処理装置が正常に動作したかを判断し、正常と判断された場合に搬送を再開するよう制御する。【選択図】図１
2015072428.tif 000002
【特許請求の範囲】
【請求項１】
用紙に画像を形成する画像形成部と、
前記用紙を画像形成のタイミングに合わせて搬送し、後続の後処理装置に向けて前記用紙を送り出す搬送部と、
前記画像形成部での画像形成と前記搬送部での搬送とを制御する制御部と、を備え前記後処理装置を接続可能な画像形成装置であって、
前記制御部は、所定枚数の前記用紙を前記後処理装置に搬送した時点で搬送を一時中断し、前記後処理装置が正常に動作したかを判断し、正常と判断された場合に搬送を再開するよう制御する、
ことを特徴とする画像形成装置。
【請求項２】
前記制御部は、
第１の所定枚数の前記用紙を前記後処理装置に搬送した時点で搬送を一時中断し、前記後処理装置が前記用紙を正常に搬送したかを判断するよう制御し、
第２の所定枚数の前記用紙を前記後処理装置に搬送した時点で搬送を一時中断し、前記後処理装置が前記用紙を正常に処理したかを判断するよう制御する、
ことを特徴とする請求項１に記載の画像形成装置。
【請求項３】
前記制御部は、
所定間隔で前記用紙を搬送しつつ動作する通常動作モードと、
前記後処理装置内部で第１の所定枚数の前記用紙が所定位置まで搬送されたかを確認するまで前記用紙の搬送を一時中断する搬送確認モードと、
前記後処理装置内部で第２の所定枚数の前記用紙が正常に後処理されたかを確認するまで前記用紙の搬送を一時中断する後処理確認モードと、のいずれかのモードにより制御する、
ことを特徴とする請求項１−２に記載の画像形成装置。
【請求項４】
前記制御部は、
ｎ枚の前記用紙で１部としての後処理を実行する設定である場合に、
ｍ＜ｎであるｍを第１の所定枚数として、ｍ枚の前記用紙について搬送確認モードで制御し、
前記搬送確認モードにおいて前記搬送が確認された場合には、第２の所定枚数であるｎ枚の前記用紙について後処理確認モードで制御する、
ことを特徴とする請求項３に記載の画像形成装置。
【請求項５】
前記制御部は、
前記後処理確認モードにおいて前記後処理されたことが確認された後は、前記搬送確認モードと前記後処理確認モードの一時中断の制御を行わずに、通常動作モードを実行するよう制御する、
ことを特徴とする請求項４に記載の画像形成装置。
【請求項６】
前記制御部は、
前記画像形成装置側又は前記後処理装置側のいずれかで異常が発生した場合において、異常発生時のモードと異常の発生場所とに応じて、再開時のモードを切り替える機能を有する、
ことを特徴とする請求項３−５のいずれか一項に記載の画像形成装置。
【請求項７】
前記制御部は、
異常発生時が後処理確認モードである場合において、
異常が前記画像形成装置側であれば再開を後処理確認モードとし、
異常が前記後処理装置側であれば再開を搬送確認モードとする、
ことを特徴とする請求項３−６のいずれか一項に記載の画像形成装置。
【請求項８】
前記制御部は、
異常発生時が通常動作モードである場合において、
異常が前記画像形成装置側であれば再開を通常動作モードとし、
異常が前記後処理装置側であれば再開を後処理確認モードとする、
ことを特徴とする請求項３−７のいずれか一項に記載の画像形成装置。
【請求項９】
前記制御部は、
前記画像形成装置側又は前記後処理装置側のいずれかで異常が発生した場合に、
異常発生時が後処理確認モード又は通常動作モードであれば、再開を搬送確認モードとする、
ことを特徴とする請求項３−６のいずれか一項に記載の画像形成装置。
【請求項１０】
前記制御部は、
前記画像形成装置側又は前記後処理装置側のいずれかで異常が発生した場合に、
異常発生時が後処理確認モード又は通常動作モードであれば、再開を異常発生時と同じモードとする、
ことを特徴とする請求項３−６のいずれか一項に記載の画像形成装置。
【請求項１１】
前記制御部は、
前記画像形成装置側又は前記後処理装置側のいずれかで異常が発生した場合でも、異常発生時が搬送確認モードであれば、再開を搬送確認モードとする、
ことを特徴とする請求項３−１０のいずれか一項に記載の画像形成装置。
【請求項１２】
前記制御部は、前記後処理装置で実行する後処理の内容に応じて、前記後処理確認モードを実行するか省略するかを制御する機能を有する、
ことを特徴とする請求項３−１１のいずれか一項に記載の画像形成装置。
【請求項１３】
前記制御部は、前記後処理装置側で異常が発生した場合に、前記用紙に関する設定変更を促すメッセージを表示する表示信号を生成するよう制御する、
ことを特徴とする請求項１−１２のいずれか一項に記載の画像形成装置。
【請求項１４】
前記制御部は、搬送確認モードで動作中の前記後処理装置側で異常が発生した場合に、前記用紙のサイズに関する設定変更を促すメッセージを表示する表示信号を生成するよう制御し、
後処理確認モードで動作中の前記後処理装置側で異常が発生した場合に、前記用紙の厚みに関する設定変更を促すメッセージを表示する表示信号を生成するよう制御する、
ことを特徴とする請求項３−１２のいずれか一項に記載の画像形成装置。
【請求項１５】
請求項１乃至請求項１４のいずれか一項に記載の画像形成装置と、
前記画像形成装置から送り出された用紙を受け取って所定の後処理を実行する後処理装置と、
を有することを特徴とする画像形成システム。
【請求項１６】
前記後処理装置は、
前記用紙に関する設定を入力可能な操作部と、
前記操作部から入力された設定に応じて前記用紙に対する後処理を実行する後処理部と、
を有する、
ことを特徴とする請求項１５に記載の画像形成システム。
【請求項１７】
画像形成部により用紙に画像を形成し、該用紙を画像形成のタイミングに合わせて搬送部により搬送しつつ後続の後処理装置に向けて送り出すよう制御部が制御する画像形成装置における画像形成制御方法であって、
所定枚数の前記用紙を前記後処理装置に搬送した時点で搬送を一時中断し、前記後処理装置が正常に動作したかを判断し、正常と判断された場合に搬送を再開するよう制御する、
ことを特徴とする画像形成制御方法。
【請求項１８】
前記制御部は、
第１の所定枚数の前記用紙を前記後処理装置に搬送した時点で搬送を一時中断し、前記後処理装置が前記用紙を正常に搬送したかを判断するよう制御し、
第２の所定枚数の前記用紙を前記後処理装置に搬送した時点で搬送を一時中断し、前記後処理装置が前記用紙を正常に処理したかを判断するよう制御する、
ことを特徴とする請求項１７に記載の画像形成制御方法。
【請求項１９】
所定間隔で前記用紙を搬送しつつ動作する通常動作モードと、
前記後処理装置内部で第１の所定枚数の前記用紙が所定位置まで搬送されたかを確認するまで前記用紙の搬送を一時中断する搬送確認モードと、
前記後処理装置内部で第２の所定枚数の前記用紙が正常に後処理されたかを確認するまで前記用紙の搬送を一時中断する後処理確認モードと、のいずれかのモードにより制御する、
のいずれかのモードにより制御される、
ことを特徴とする請求項１７−１８に記載の画像形成制御方法。
【請求項２０】
ｎ枚の前記用紙で１部としての後処理を実行する設定である場合に、
ｍ＜ｎであるｍを第１の所定枚数として、ｍ枚の前記用紙について搬送確認モードで制御し、
前記搬送確認モードにおいて前記搬送が確認された場合には、第２の所定枚数であるｎ枚の前記用紙について後処理確認モードで制御する、
ことを特徴とする請求項１９に記載の画像形成制御方法。
【請求項２１】
前記後処理確認モードにおいて前記後処理されたことが確認された後は、前記搬送確認モードと前記後処理確認モードの一時中断の制御を行わずに、通常動作モードを実行するよう制御する、
ことを特徴とする請求項２０に記載の画像形成制御方法。
【請求項２２】
前記画像形成装置側又は前記後処理装置側のいずれかで異常が発生した場合において、異常発生時のモードと異常の発生場所とに応じて、再開時のモードを切り替える機能を有する、
ことを特徴とする請求項１９−２１のいずれか一項に記載の画像形成制御方法。
【請求項２３】
異常発生時が後処理確認モードである場合において、
異常が前記画像形成装置側であれば再開を後処理確認モードとし、
異常が前記後処理装置側であれば再開を搬送確認モードとする、
ことを特徴とする請求項１９−２２のいずれか一項に記載の画像形成制御方法。
【請求項２４】
異常発生時が通常動作モードである場合において、
異常が前記画像形成装置側であれば再開を通常動作モードとし、
異常が前記後処理装置側であれば再開を後処理確認モードとする、
ことを特徴とする請求項１９−２３のいずれか一項に記載の画像形成制御方法。
【請求項２５】
前記画像形成装置側又は前記後処理装置側のいずれかで異常が発生した場合に、
異常発生時が後処理確認モード又は通常動作モードであれば、再開を搬送確認モードとする、
ことを特徴とする請求項１９−２２のいずれか一項に記載の画像形成制御方法。
【請求項２６】
前記画像形成装置側又は前記後処理装置側のいずれかで異常が発生した場合に、
異常発生時が後処理確認モード又は通常動作モードであれば、再開を異常発生時と同じモードとする、
ことを特徴とする請求項１９−２２のいずれか一項に記載の画像形成制御方法。
【請求項２７】
前記画像形成装置側又は前記後処理装置側のいずれかで異常が発生した場合でも、異常発生時が搬送確認モードであれば、再開を搬送確認モードとする、
ことを特徴とする請求項１９−２６のいずれか一項に記載の画像形成制御方法。
【請求項２８】
前記制御部は、前記後処理装置で実行する後処理の内容に応じて、前記後処理確認モードを実行するか省略するかを制御する機能を有する、
ことを特徴とする請求項１９−２７のいずれか一項に記載の画像形成制御方法。
【請求項２９】
前記後処理装置側で異常が発生した場合に、前記用紙に関する設定変更を促すメッセージを表示する表示信号を生成するよう前記制御部が制御する、
ことを特徴とする請求項１７−２８のいずれか一項に記載の画像形成制御方法。
【請求項３０】
搬送確認モードで動作中の前記後処理装置側で異常が発生した場合に、前記用紙のサイズに関する設定変更を促すメッセージを表示する表示信号を生成するよう前記制御部が制御し、
後処理確認モードで動作中の前記後処理装置側で異常が発生した場合に、前記用紙の厚みに関する設定変更を促すメッセージを表示する表示信号を生成するよう前記制御部が制御する、
ことを特徴とする請求項３−２８のいずれか一項に記載の画像形成制御方法。
【請求項３１】
前記後処理装置は、前記操作部から入力された設定に応じて前記用紙に対する後処理を後処理部において実行する、
ことを特徴とする請求項１７−３０のいずれか一項に記載の画像形成制御方法。
【発明の詳細な説明】
【技術分野】
【０００１】
本発明は、動作時の安定性に配慮された画像形成装置及び画像形成システム、並びに、このような画像形成装置や画像形成システムにおける画像形成制御方法に関する。
【背景技術】
【０００２】
レーザ式等のプリンタや複写機等の画像形成装置には、多様な印刷条件に対応するために複数種類の用紙を収容するトレイが各用紙別に複数設けられている。
また、画像形成装置に後処理装置を接続し、画像形成された用紙に後処理を施して、中綴じや糊付け製本された冊子を作成することも可能である。
【０００３】
このように画像形成装置と後処理装置を接続して冊子を作成する場合には、後処理装置側においても後処理すべき用紙のサイズや厚みを正確に知っておく必要がある。
この場合において、画像形成装置と同一メーカーにより製造された同一シリーズの後処理装置を接続する場合には、画像形成装置と後処理装置間の通信によって用紙サイズや用紙厚（又は用紙束厚）の情報を伝達することが可能な場合がある。
【０００４】
また、各社の画像形成装置に接続可能な汎用性のある後処理装置を画像形成装置に接続する場合には、後処理装置側の通信機能の制限により、一般的な最低限の通信、例えばパラレルインタフェイスにより、基本的なデータと制御信号（Busy,Ack,Select,Empty,Error等）の授受しかできないことが多い。このため、用紙サイズや用紙厚や用紙束厚の情報を画像形成装置から後処理装置に伝達することができない。このため、後処理装置の操作パネルにおいて、オペレータが用紙サイズや用紙束厚の情報を入力する必要がある。
【０００５】
以上のような場合において、設定された用紙情報が正しくないと、動作中にエラーが発生して装置が停止してしまうことになる。
なお、このような画像形成に関する用紙情報の取り扱いや正常動作の確認については、以下の特許文献に関連した提案がなされている。
【先行技術文献】
【特許文献】
【０００６】
【特許文献１】特開２００４−１２０９８４号公報
【発明の概要】
【発明が解決しようとする課題】
【０００７】
以上の特許文献１では、画像形成装置において、用紙設定ミスが起こりうる条件において、画像形成装置を動作させて１枚だけ給紙した後に給紙を止めて、用紙サイズの設定と実際の用紙とが合致しているかを確認する制御を行っている。
【０００８】
但し、この特許文献１の技術では、用紙サイズについての動作確認であり、用紙束厚に関しての確認をすることができない。
また、画像形成装置としての動作を確認するのみであり、画像形成装置に接続された後処理装置における動作確認については配慮されておらず、また、複数枚の用紙によって冊子を作成するような場合についても何ら配慮されていない。
【０００９】
本発明はこのような課題に鑑みてなされたものであって、画像形成装置に後処理装置が接続されている場合において、後処理装置側で正しい用紙情報が設定されていない場合においても機械停止時の機内残留用紙を少なくし、設定が正常な場合の作像の生産性を高くすることが可能な画像形成装置、画像形成システム、及び画像形成制御方法を実現することを目的とする。
【課題を解決するための手段】
【００１０】
（１）上述の課題を解決する一態様は、用紙に画像を形成する画像形成部と、前記用紙を画像形成のタイミングに合わせて搬送し、後続の後処理装置に向けて前記用紙を送り出す搬送部と、前記画像形成部での画像形成と前記搬送部での搬送とを制御する制御部と、を備え前記後処理装置を接続可能な画像形成装置であって、前記制御部は、所定枚数の前記用紙を前記後処理装置に搬送した時点で搬送を一時中断し、前記後処理装置が正常に動作したかを判断し、正常と判断された場合に搬送を再開するよう制御する、ことを特徴とする。
【００１１】
（２）上記（１）において、前記制御部は、前記一時中断によって前記後処理装置が正常に動作したと判断された場合、前記所定枚数毎の一時中断の制御を行わずに、画像形成と搬送とを実行するよう制御する、ことを特徴とする。
【００１２】
（３）上記（１）−（２）において、前記制御部は、所定間隔で前記用紙を搬送しつつ動作する通常動作モードと、前記後処理装置内部で前記用紙が所定位置まで搬送されたかを確認するまで前記用紙の搬送を一時中断する搬送確認モードと、前記後処理装置内部で前記用紙が正常に後処理されたかを確認するまで前記用紙の搬送を一時中断する後処理確認モードと、のいずれかのモードにより制御する、ことを特徴とする。
【００１３】
（４）上記（３）において、前記制御部は、ｎ枚の前記用紙で１部としての後処理を実行する設定である場合に、ｍ＜ｎであるｍを第１の所定枚数として、ｍ枚の前記用紙について搬送確認モードで制御し、前記搬送確認モードにおいて前記搬送が確認された場合には、第２の所定枚数であるｎ枚の前記用紙について後処理確認モードで制御する、ことを特徴とする。
【００１４】
（５）上記（４）において、前記制御部は、前記後処理確認モードにおいて前記後処理されたことが確認された後は、前記搬送確認モードと前記後処理確認モードの一時中断の制御を行わずに、通常動作モードを実行するよう制御する、ことを特徴とする。
【００１５】
（６）上記（３）−（５）において、前記制御部は、前記画像形成装置側又は前記後処理装置側のいずれかで異常が発生した場合において、異常発生時のモードと異常の発生場所とに応じて、再開時のモードを切り替える機能を有する、ことを特徴とする。
【００１６】
（７）上記（３）−（６）において、前記制御部は、異常発生時が後処理確認モードである場合において、異常が前記画像形成装置側であれば再開を後処理確認モードとし、異常が前記後処理装置側であれば再開を搬送確認モードとする、ことを特徴とする。
【００１７】
（８）上記（３）−（７）において、前記制御部は、異常発生時が通常動作モードである場合において、異常が前記画像形成装置側であれば再開を通常動作モードとし、異常が前記後処理装置側であれば再開を後処理確認モードとする、ことを特徴とする。
【００１８】
（９）上記（３）−（６）において、前記制御部は、前記画像形成装置側又は前記後処理装置側のいずれかで異常が発生した場合に、異常発生時が後処理確認モード又は通常動作モードであれば、再開を搬送確認モードとする、ことを特徴とする。
【００１９】
（１０）上記（３）−（６）において、前記制御部は、前記画像形成装置側又は前記後処理装置側のいずれかで異常が発生した場合に、異常発生時が後処理確認モード又は通常動作モードであれば、再開を異常発生時と同じモードとする、ことを特徴とする。
【００２０】
（１１）上記（３）−（１０）において、前記制御部は、前記画像形成装置側又は前記後処理装置側のいずれかで異常が発生した場合でも、異常発生時が搬送確認モードであれば、再開を搬送確認モードとする、ことを特徴とする。
【００２１】
（１２）上記（３）−（１１）において、前記制御部は、前記後処理装置で実行する後処理の内容に応じて、前記後処理確認モードを実行するか省略するかを制御する機能を有する、ことを特徴とする。
【００２２】
（１３）上記（１）−（１２）において、前記制御部は、前記後処理装置側で異常が発生した場合に、前記用紙に関する設定変更を促すメッセージを表示する表示信号を生成するよう制御する、ことを特徴とする。
【００２３】
（１４）上記（３）−（１２）において、前記制御部は、搬送確認モードで動作中の前記後処理装置側で異常が発生した場合に、前記用紙のサイズに関する設定変更を促すメッセージを表示する表示信号を生成するよう制御し、後処理確認モードで動作中の前記後処理装置側で異常が発生した場合に、前記用紙の厚みに関する設定変更を促すメッセージを表示する表示信号を生成するよう制御する、ことを特徴とする。
【００２４】
（１５）上記（１）−（１４）のいずれか一項に記載の画像形成装置と、前記画像形成装置から送り出された用紙を受け取って所定の後処理を実行する後処理装置と、を有することを特徴とする画像形成システム。
【００２５】
（１６）上記（１５）において、前記後処理装置は、前記用紙に関する設定を入力可能な操作部と、前記操作部から入力された設定に応じて前記用紙に対する後処理を実行する後処理部と、を有する、ことを特徴とする。
【発明の効果】
【００２６】
（１）画像形成装置から所定枚数の用紙を後処理装置に搬送した時点で搬送を一時中断し、後処理装置が正常に動作したかを判断し、正常と判断された場合に搬送を再開するよう制御することにより、画像形成装置に後処理装置が接続されている場合において、後処理装置側で正しい用紙情報が設定されていない場合においても機械停止時の機内残留用紙を少なくし、設定が正常な場合の作像の生産性を高くすることが可能になる。
【００２７】
（２）上記（１）において、第１の所定枚数の用紙を後処理装置に搬送した時点で搬送を一時中断し後処理装置が用紙を正常に搬送したかを判断し、第２の所定枚数の用紙を後処理装置に搬送した時点で搬送を一時中断し後処理装置が用紙を正常に処理したかを判断する、ことにより、画像形成装置に後処理装置が接続されている場合において、後処理装置内での正常搬送と正常処理とを正確に判断することができるため、後処理装置側で正しい用紙情報が設定されていない場合においても機械停止時の機内残留用紙を少なくし、設定が正常な場合の作像の生産性を高くすることが可能になる。
【００２８】
（３）上記（１）−（２）において、所定間隔で用紙を搬送しつつ動作する通常動作モードと、後処理装置内部で第１の所定枚数の用紙が所定位置まで搬送されたかを確認するまで用紙の搬送を一時中断する搬送確認モードと、後処理装置内部で第２の所定枚数の用紙が正常に後処理されたかを確認するまで用紙の搬送を一時中断する後処理確認モードと、のいずれかのモードにより制御する、ことにより、画像形成装置に後処理装置が接続されている場合において、後処理装置内での搬送確認と後処理確認とを正確に実行することができるため、後処理装置側で正しい用紙情報が設定されていない場合においても機械停止時の機内残留用紙を少なくし、設定が正常な場合の作像の生産性を高くすることが可能になる。
【００２９】
（４）上記（３）において、ｎ枚の用紙で１部としての後処理を実行する設定である場合に、ｍ＜ｎであるｍを第１の所定枚数として、ｍ枚の用紙について、搬送確認モードで制御し、搬送確認モードにおいて搬送が確認された場合には、第２の所定枚数であるｎ枚の用紙について後処理確認モードで制御する、ことにより、画像形成装置に後処理装置が接続されている場合において、後処理装置内での搬送確認と後処理確認とを正確かつ効率良く実行することができるため、後処理装置側で正しい用紙情報が設定されていない場合においても機械停止時の機内残留用紙を少なくし、設定が正常な場合の作像の生産性を高くすることが可能になる。
【００３０】
（５）上記（４）において、後処理確認モードにおいて後処理されたことが確認された後は、搬送確認モードと後処理確認モードの一時中断の制御を行わずに、通常動作モードを実行するよう制御する、ことにより、画像形成装置に後処理装置が接続されている場合において、後処理装置内での搬送確認と後処理確認とを正確かつ効率良く実行することができるため、後処理装置側で正しい用紙情報が設定されていない場合においても機械停止時の機内残留用紙を少なくし、設定が正常な場合の作像の生産性を高くすることが可能になる。
【００３１】
（６）上記（３）−（５）において、画像形成装置側又は後処理装置側のいずれかで異常が発生した場合において、異常発生時のモードと異常の発生場所とに応じて、再開時のモードを切り替える機能を有する、ことにより、画像形成装置に後処理装置が接続されている場合において、異常発生状況に応じた適切なモードで動作を再開できるため、後処理装置側で正しい用紙情報が設定されていない場合においても機械停止時の機内残留用紙を少なくし、設定が正常な場合の作像の生産性を高くすることが可能になる。
【００３２】
（７）上記（３）−（６）において、異常発生時が後処理確認モードである場合において、異常が画像形成装置側であれば再開を後処理確認モードとし、異常が後処理装置側であれば再開を搬送確認モードとする、ことにより、画像形成装置に後処理装置が接続されている場合において、後処理装置側の異常発生状況に応じた適切なモードで動作を再開できるため、後処理装置側で正しい用紙情報が設定されていない場合においても機械停止時の機内残留用紙を少なくし、設定が正常な場合の作像の生産性を高くすることが可能になる。
【００３３】
（８）上記（３）−（７）において、異常発生時が通常動作モードである場合において、異常が画像形成装置側であれば再開を通常動作モードとし、異常が後処理装置側であれば再開を後処理確認モードとする、ことにより、画像形成装置に後処理装置が接続されている場合において、後処理装置側の動作安定性に配慮した適切なモードで動作を再開できるため、後処理装置側で正しい用紙情報が設定されていない場合においても機械停止時の機内残留用紙を少なくし、設定が正常な場合の作像の生産性を高くすることが可能になる。
【００３４】
（９）上記（３）−（６）において、画像形成装置側又は後処理装置側のいずれかで異常が発生した場合に、異常発生時が後処理確認モード又は通常動作モードであれば、再開を搬送確認モードとする、ことにより、画像形成装置に後処理装置が接続されている場合において、動作安定性に配慮した適切なモードで動作を再開できるため、後処理装置側で正しい用紙情報が設定されていない場合においても機械停止時の機内残留用紙を少なくし、設定が正常な場合の作像の生産性を高くすることが可能になる。
【００３５】
（１０）上記（３）−（６）において、画像形成装置側又は後処理装置側のいずれかで異常が発生した場合に、異常発生時が後処理確認モード又は通常動作モードであれば、再開を異常発生時と同じモードとする、ことにより、搬送確認モードを重複して実行する必要がなくなり、画像形成装置に後処理装置が接続されている場合において、動作安定性と生産性とに配慮した適切なモードで動作を再開できるため、後処理装置側で正しい用紙情報が設定されていない場合においても機械停止時の機内残留用紙を少なくし、設定が正常な場合の作像の生産性を高くすることが可能になる。
【００３６】
（１１）上記（３）−（１０）において、画像形成装置側又は後処理装置側のいずれかで異常が発生した場合でも、異常発生時が搬送確認モードであれば、再開を搬送確認モードとする、ことにより、画像形成装置に後処理装置が接続されている場合において、動作安定性に配慮した適切なモードで動作を再開できるため、後処理装置側で正しい用紙情報が設定されていない場合においても機械停止時の機内残留用紙を少なくし、設定が正常な場合の作像の生産性を高くすることが可能になる。
【００３７】
（１２）上記（３）−（１１）において、後処理装置で実行する後処理の内容に応じて、後処理確認モードを実行するか省略するかを制御する機能を有する、ことにより、画像形成装置に後処理装置が接続されている場合において、後処理の内容に配慮した無駄のない適切なモードで動作を再開できるため、後処理装置側で正しい用紙情報が設定されていない場合においても機械停止時の機内残留用紙を少なくし、設定が正常な場合の作像の生産性を高くすることが可能になる。
【００３８】
（１３）上記（１）−（１２）において、後処理装置側で異常が発生した場合に、用紙に関する設定変更を促すメッセージを表示する表示信号を生成するよう制御する、ことにより、画像形成装置に後処理装置が接続されている場合において、異常による一時停止が後処理の設定に配慮された動作状態となり後処理装置側で正しい用紙情報が設定されていない場合においても機械停止時の機内残留用紙を少なくし、設定が正常な場合の作像の生産性を高くすることが可能になる。
【００３９】
（１４）上記（３）−（１２）において、搬送確認モードで動作中の後処理装置側で異常が発生した場合に、用紙のサイズに関する設定変更を促すメッセージを表示する表示信号を生成するよう制御し、後処理確認モードで動作中の後処理装置側で異常が発生した場合に、用紙の厚みに関する設定変更を促すメッセージを表示する表示信号を生成するよう制御する、ことにより、画像形成装置に後処理装置が接続されている場合において、異常による一時停止が異常要因に配慮された動作状態となり後処理装置側で正しい用紙情報が設定されていない場合においても機械停止時の機内残留用紙を少なくし、設定が正常な場合の作像の生産性を高くすることが可能になる。
【００４０】
（１５）上記（１）−（１４）のいずれか一項に記載の画像形成装置と、その画像形成装置から送り出された用紙を受け取って所定の後処理を実行する後処理装置とを有する画像形成システムを構成することにより、後処理装置側で正しい用紙情報が設定されていない場合においても機械停止時の機内残留用紙を少なくし、設定が正常な場合の作像の生産性を高くすることが可能になる。
【００４１】
（１６）上記（１５）において、後処理装置は、用紙に関する設定を入力可能な操作部と、操作部から入力された設定に応じて用紙に対する後処理を実行する後処理部と、を有することにより、後処理の設定に配慮された状態で動作させることが可能となり、画像形成装置と後処理装置との間で各種設定情報を通知できない場合や後処理装置側で正しい用紙情報が設定されていない場合においても機械停止時の機内残留用紙を少なくし、設定が正常な場合の作像の生産性を高くすることが可能になる。
【図面の簡単な説明】
【００４２】
【図１】本発明の実施形態の画像形成システムの構成を示すブロック図である。
【図２】本発明の実施形態の画像形成システムの構成を示す構成図である。
【図３】本発明の実施形態の画像形成システムの構成を示す構成図である。
【図４】本発明の実施形態の画像形成の動作を示すフローチャートである。
【図５】本発明の実施形態の画像形成システムの表示画面例を示す説明図である。
【図６】本発明の実施形態の後処理システムの表示画面例を示す説明図である。
【図７】本発明の実施形態の画像形成の動作を示すフローチャートである。
【図８】本発明の実施形態の動作状態を示す動作説明図である。
【図９】本発明の実施形態の画像形成システムの表示画面例を示す説明図である。
【図１０】本発明の実施形態の画像形成システムの表示画面例を示す説明図である。
【図１１】本発明の実施形態の画像形成システムの表示画面例を示す説明図である。
【図１２】本発明の実施形態の画像形成システムの表示画面例を示す説明図である。
【発明を実施するための形態】
【００４３】
以下、図面を参照して本発明を実施するための形態（以下、実施形態）を詳細に説明する。
〈画像形成システムの全体構成〉
図１−３は本発明の実施の形態の概略構成を示す説明図である。
【００４４】
なお、ここでは、画像形成装置１００、後処理装置４００を含んで、直列接続された状態の画像形成システムを具体例として示す。但し、接続台数や接続機器は、この例に限定されるものではなく、複数台の画像形成装置、複数台の後処理装置を含んだ状態であってもよい。
【００４５】
また、この画像形成システムでは、図２及び図３に示されるように、図面上で右から左に向けた用紙の流れに沿って、画像形成装置１００、画像形成された用紙に各種後処理（パンチ処理、ステイプル処理、バインド処理など）を施す後処理装置４００、が直列接続されている。なお、図２及び図３では、給紙部１３０として大容量のトレイユニットが増設された様子を示している。
【００４６】
また、画像形成装置１００、後処理装置４００は、それぞれ通信部１２５，４０５を介して、それぞれの制御部１５０（ＣＰＵ１５１）と後処理制御部４０１が通信することで連携した制御を行うように構成されている。
【００４７】
また、外部機器１０は画像形成システムに含まれないが、画像形成装置１００と通信可能に構成されており、画像形成装置１００に対して印刷ジョブデータを送信することが可能である。
【００４８】
〈画像形成システムの詳細構成〉
図１は、本発明の第１の実施の形態の画像形成システム主要部を構成する画像形成装置１００と後処理装置４００の構成を示している。
【００４９】
画像形成装置１００は、大きく分けて、プリンタコントローラ１１０と、スキャナ部１２２と、操作表示部１２３と、プリンタ部１２４と、通信部１２５と、給紙部１３０と、主制御部１５０と、を備えて構成される。
【００５０】
プリンタコントローラ１１０は、ＬＡＮ（Local Area Network）などのネットワークを介してパーソナルコンピュータ（ＰＣ）などの情報処理装置と接続されており、情報処理装置から送られてくる印刷ジョブデータに含まれる言語で記述された印刷データをラスタライズ処理してイメージデータを生成するＲＩＰ（Raster Image Processor）処理を実行する機能を果たす。なお、イメージデータは画像形成に使用されるビットマップ形式のデータである。
【００５１】
プリンタコントローラ１１０が情報処理装置から受信する印刷ジョブデータに含まれる印刷データは、文字や図形をコードデータやベクトルデータで表した印刷データ、たとえば、ＰＤＬ（Page Description Language：ページ記述言語）で記述された印刷データを含むものであり、ラスタライズ処理（ＲＩＰ処理）はコードデータやベクトルデータで構成される印刷データをビットマップ形式のイメージデータに展開する処理である。
【００５２】
また、印刷ジョブデータには、上述した印刷データの他に、どの用紙を使用するかといったページ情報も含まれている。
プリンタコントローラ１１０は、当該プリンタコントローラ１１０の動作を統括制御するＣＰＵ（Central Processing Unit）１１１と、ネットワークに接続するための通信機能を果たすＬＡＮ−ＩＦ部１１２と、ＲＩＰ処理により生成したイメージデータなどを記憶する画像メモリ１１３と、ネットワークから受信した印刷データやＲＩＰ処理の処理過程で生成される中間データなどを蓄積するハードディスク装置（ＨＤＤ）１１４と、画像メモリ１１３へのデータのリード／ライト機能および主制御部１５０との間で各種データの送受信機能を果たすＤＲＡＭ（Dynamic Random Access Memory）制御部１１５とを有している。
【００５３】
このほか、図示省略してあるが、ＣＰＵ１１１には、当該ＣＰＵ１１１が読み出して実行するプログラムや固定データを記憶したＲＯＭ（Read Only Memory）およびＣＰＵ１１１がプログラムを実行する際に各種データを一時的に格納するためのワークメモリなどが接続されている。
【００５４】
スキャナ部１２２は、原稿をカラーもしくはモノクロで光学的に読み取って対応する画像データを取得する機能を果たすもので、ラインイメージセンサ１２２ａのほか、当該スキャナ部１２２の動作全体を制御するスキャナ制御部１２２ｂを備えている。
【００５５】
操作表示部１２３は、各種設定画面や操作画面などを表示する機能、オペレータに向けて各種案内情報や通知、警告などを表示する機能、オペレータから各種の設定／選択操作や編集操作、出力指示（画像形成の開始指示）を受け付ける機能を果たす。操作表示部１２３は、液晶ディスプレイからなる表示部１２３ａと、その画面上に敷設されたタッチスイッチおよびその他のスイッチから成る操作部１２３ｂと、表示部１２３ａおよび操作部１２３ｂを制御する操作制御部１２３ｃとを有して構成される。
【００５６】
プリンタ部１２４は画像データに応じてオン/オフされる各レーザーダイオード（ＬＤ）１２４ａのほか、プロセスユニットなどの動作を制御するプリンタ制御部１２４ｂを有している。なおプリンタ制御部１２４ｂは、ＣＰＵ１５１と協働して、プリンタ部１２４画像形成開始の準備完了前あるいはコントローラ１１０におけるイメージデータの生成中に、コントローラ１１０からページ情報を取得して対応するトレイから給紙を開始させる制御機能を有する。
【００５７】
また、プリンタ部１２４は図３に示されるように、画像が転写される前の所定位置で用紙の送り出しを制御するレジストローラ１２４１、用紙に転写されるトナー像が形成される像担持体としての感光体１２４２、感光体１２４２表面に所定の電位を与える帯電部１２４３、感光体１２４２表面に画像データに応じたレーザビーム照射を行って静電潜像を形成する発光部１２４４、感光体１２４２表面の静電潜像を現像してトナー像を形成する現像部１２４５、感光体１２４２表面のトナー像を用紙に転写する転写部１２４６、用紙上のトナー像を定着させる定着部１２４７、用紙の裏面にトナー像を形成する際の両面搬送経路１２４８、を備えて構成される。
【００５８】
なお、スキャナ制御部１２２ｂ、操作制御部１２３ｃ、プリンタ制御部１２４ｂはそれぞれＣＰＵ（Central Processing Unit）およびＲＯＭ（Read Only Memory）、ＲＡＭ（Random Access Memory）などを主要部とする回路で構成されており、ＲＯＭに格納されたプログラムに従って各種の制御を実行する。
【００５９】
給紙部１３０は、トレイＴ１〜Ｔ６それぞれに用紙が収容されており、ＣＰＵ１５１の指示により、画像形成のタイミングに合わせてトレイＴ１〜Ｔ６に収容された用紙を送り出す。なお、図２及び図３では、給紙部１３０として、トレイＴ４〜Ｔ６を含む３段のトレイユニットが増設された様子を示している。なお、トレイの段数やトレイユニットのユニット数は、あくまでも一例であり、トレイ単位、ユニット単位などで任意に増減することが可能である。
【００６０】
主制御部１５０は、各部の制御部と協調して画像形成装置１００全体の動作を統括制御する機能を果たすもので、ＣＰＵ１５１と、読み取り処理部１５２と、ＤＲＡＭ制御部１５３と、圧縮伸長部１５４と、半導体メモリで構成された画像メモリ１５５と、ハードディスク装置（ＨＤＤ）１５６と、書き込み処理部１５８と、ＲＯＭ１５９ａと、ＲＡＭ１５９ｂと、不揮発メモリ１５９ｃと、を備えて構成される。
【００６１】
ＣＰＵ１５１は、画像形成に関する動作全体を制御する機能を果たす。ＲＯＭ１５９ａには、プログラムや各種固定データなどが記憶されており、ＣＰＵ１５１はＲＯＭ１５９ａに格納されたプログラムに従って動作する。ＲＡＭ１５９ｂは、ＣＰＵ１５１がプログラムを実行する際に各種のデータを一時的に格納するワークメモリとして使用される。不揮発メモリ１５９ｃは、電源オフ後も記憶しておくべきユーザデータやシステムデータ、各種設定値などが記憶されるメモリである。
【００６２】
なお、このＣＰＵ１５１は、プリンタ部１２４内のプリンタ制御部１２４ｂと協働して、プリンタ部１２４画像形成開始の準備完了前あるいはコントローラ１１０におけるイメージデータの生成中に、コントローラ１１０からページ情報を取得して対応するトレイから給紙を開始させる制御機能を有する。
【００６３】
読み取り処理部１５２は、スキャナ部１２２の出力する画像データに対して拡大処理、鏡像処理、誤差拡散処理などを施す機能を果たす。
ＤＲＡＭ制御部１５３は、ダイナミックＲＡＭからなる画像メモリ１５５へのリード・ライトおよびリフレッシュのタイミング制御や、画像データを圧縮して画像メモリ１５５に格納したり、画像メモリ１５５から圧縮画像データを読み出して伸張したりする際のタイミング制御などを行う。
【００６４】
また、ＤＲＡＭ制御部１５３には、ＰＣＩ（Peripheral Component Interconnect）バスを通じてプリンタコントローラ１１０のＤＲＡＭ制御部１１５と接続され、プリンタコントローラ１１０との間で各種のデータを授受する機能を果たす。
【００６５】
圧縮伸長部１５４は、画像メモリ１５５を記憶領域として使用しつつ、画像データを圧縮して圧縮画像データを生成し、また、圧縮された画像データ（圧縮画像データ）を元のイメージデータに伸張する、圧縮処理機能と伸長処理機能とを果たす。
【００６６】
画像メモリ１５５は、圧縮伸長部１５４により使用され、圧縮して生成された圧縮画像データや伸長された画像データを記憶する機能を果たす。
ハードディスク装置１５６には、プリンタコントローラ１１０から受信した印刷ジョブデータなどが記憶され保存される。
【００６７】
書き込み処理部１５８は、画像メモリ１５５から読み出して伸張された画像データに応じて、プリンタ部１２４での各色のＬＤ１２４ａをオン/オフさせるための信号を、プリンタ部１２４の動作に応じたタイミングで出力する機能を果たす。
【００６８】
後処理装置４００は、大きく分けて、後処理制御部４０１と、通信部４０５と、後処理部４１０と、操作表示部４２３と、を備えて構成される。ここで、後処理制御部４０１は、後処理装置４００における後処理の実行を制御する。通信部４０５は、画像形成装置１００の通信部１２５と所定のプロトコルに従って通信する。後処理部４１０は、図３のように、例えば、パンチ部４１３や製本部４１５を備えており、画像形成装置１００からの用紙を受け入れ、所定の後処理を実行する。操作表示部４２３は、後処理に関連する用紙の設定等の入力や状態表示を行う。
【００６９】
〈画像形成システムの動作〉
以下、本実施形態の画像形成システムの動作、画像形成制御方法について、フローチャートや画面説明図などを利用して具体例を用いつつ詳細に説明する。
【００７０】
〈動作時のデータの流れ〉
・データの入力：
・・画像形成装置１００が複写機として動作する場合：
原稿の画像はラインイメージセンサ１２２ａにより読み取られ、読み取り信号は読み取り処理部１５２で処理されてイメージデータとされた後、ＤＲＡＭ制御部１５３の制御により圧縮伸長部１５４で圧縮されて、圧縮状態のイメージデータが画像メモリ１５５に記憶される。
・・画像形成装置１００がプリンタとして動作する場合：
外部機器１０からの印刷データはＬＡＮ−ＩＦ部１１２を通り、プリンタコントローラ１１０のＤＲＡＭ制御部１１５の制御により画像メモリ１１３に記憶される。この際、必要に応じて、ＲＩＰ処理が実行されて画像形成用のイメージデータに変換される。その後、イメージデータはＤＲＡＭ制御部１１５からＤＲＡＭ制御部１５３に渡され、圧縮伸長部１５４で圧縮されて画像メモリ１５５に記憶される。
・データの出力：
・・画像形成装置１００が複写機又は画像形成装置として動作する場合：
ＤＲＡＭ制御部１５３が画像メモリ１５５から圧縮状態のイメージデータを読み出して、圧縮伸長部１５４で圧縮状態を解除（伸長）し、書き込み処理部１５８を介して書き込みタイミングに合わせてプリンタ部１２４のＬＤ１２４ａに供給する。プリンタ部１２４では、プリンタ制御部１２４ｂの制御によりＬＤ１２４ａがイメージデータに応じて発光し、露光による作像、現像、転写、定着により、用紙に画像を形成する。
【００７１】
〈設定動作〉
・画像形成装置１００での設定：
・・画像形成装置１００が複写機として動作する場合：
操作部１２３ｂから入力されたオペレータの操作は操作制御部１２３ｃにより読み取られて、主制御部１５０内のＣＰＵ１５１に伝達される。操作部１２３ｂ上で設定された印刷条件（プリントモード，トレイ，排紙先）等の情報により、ＣＰＵ１５１は設定情報を作成する。作成された設定情報は、ＣＰＵ１５１によりＲＡＭ１５９ｂに格納される。
・・画像形成装置１００がプリンタとして動作する場合：
外部機器１０のプリンタドライバにおいて設定された印刷条件は、印刷データと同様に、ＬＡＮ−ＩＦ部１１２を通り、プリンタコントローラ１１０のＤＲＡＭ制御部１１５の制御により画像メモリ１１３に記憶される。その後、イメージデータと共にＤＲＡＭ制御部１１５からＤＲＡＭ制御部１５３に渡され、画像メモリ１５５に記憶される。
・後処理装置４００での設定：
操作表示部４２３において入力されたオペレータの操作は、後処理制御部４０１に伝達される。後処理制御部４０１は、操作表示部４２３上で設定された用紙条件(用紙サイズ、用紙束の厚み等)の情報を元にして、後処理部４１０が所定の後処理を実行するように制御する。
【００７２】
〈画像形成システム全体の概略処理手順〉
図４は画像形成装置１００と後処理装置４００とにおける処理手順の概略を示したフローチャートであり、画像形成システムの動作、すなわち、画像形成装置１００の画像形成動作と後処理装置４００の後処理動作について対比しつつ説明する。
【００７３】
プリンタモードであれば外部機器１０から画像形成装置１００に対してジョブの印刷データが入力され、またコピーモードであれば原稿の画像がスキャナ部１２２により読み取られる（図４中のステップＳ１０）。
【００７４】
そして、外部機器１０あるいは操作表示部１２３において、画像形成のための設定が入力される（図４中のステップＳ１１）。なお、操作表示部１２３では、例えば、図５に示される設定画面１２３ａ１が表示された状態になっている。また、プリンタモードの画像形成装置１００を外部機器１０から設定する場合にも、同様の設定画面をプリンタドライバ等によって外部機器１０側に表示することが可能である。
【００７５】
これと並行して操作表示部４２３において後処理のために用紙サイズと用紙束厚とが入力される（図４中のステップＳ２１，Ｓ２２）。なお、操作表示部４２３では、例えば、図６に示される設定画面４２３ａ１が表示された状態になっており、オペレータにより用紙サイズや用紙束厚が入力される。
【００７６】
そして、画像形成装置１００では給紙部１３０から用紙を給紙して、この用紙の搬送にタイミングを合わせて、プリンタ部１２４にて作像，転写，定着を行って、用紙上に画像を形成する（図４中のステップＳ１２）。
【００７７】
ここで、ＣＰＵ１５１は、画像を形成した用紙を後処理装置４００に向けて排出する直前に、排紙信号を通信部１２５と通信部４０５経由で後処理制御部４０１に通知する（図４中のステップＳ１３，Ｓ２３）。
【００７８】
この排紙信号を受けた後処理装置４００は画像形成装置１００からの用紙を受け入れる状態で待機しており、画像形成装置１００から排出された用紙を後処理部４１０に向けて搬送する（図４中のステップＳ１４，Ｓ２４）。なお、後処理部４１０では、最終的な中綴じ等の冊子作成のために、中折り等の処理をした用紙を整合した状態で製本部４１５で蓄積しておく。
【００７９】
以下、以上の画像形成装置１００での給紙，作像，転写，定着，搬送動作（図４中のステップＳ１２）、画像形成装置１００から後処理装置４００への排紙信号の通知（図４中のステップＳ１３，Ｓ２３）、画像形成装置１００から用紙の排出と後処理装置４００での用紙受け入れ・搬送（図４中のステップＳ１４，Ｓ２４）、を一連のジョブの最終ページに至るまで繰り返す（図４中のステップＳ１５，Ｓ２５）。なお、後処理装置４００側では、画像形成装置１００から部区切り信号を後処理制御部４０１が受信するまで、以上の排紙信号の受信と用紙の受け入れ・搬送を繰り返すよう制御する（図４中のステップＳ２５）。
【００８０】
画像形成装置１００において一連のジョブの最終ページの用紙を後処理装置４００に排出すると（図４中のステップＳ１４，Ｓ１５でＹＥＳ）、ＣＰＵ１５１は、部区切り信号を通信部１２５と通信部４０５経由で後処理制御部４０１に通知する（図４中のステップＳ１６，Ｓ２６）。この部区切り信号を受信した後処理制御部４０１は、製本部４１５に蓄積されている用紙束に対して中綴じ等の製本処理を実行する（図４中のステップＳ２７）。そして、後処理装置４００は、作成された冊子を所定の排出トレイに排出して一連の処理を終了する。
【００８１】
なお、図４には示していないが、以上の一連の処理の途中で用紙詰まりが発生した場合には、ＣＰＵ１５１や後処理制御部４０１はジャム処理制御を実行するよう各部を制御する。
【００８２】
また、以上の一連の処理の途中で、必要に応じて、搬送確認モード制御、後処理確認モード制御を、ＣＰＵ１５１や後処理制御部４０１が実行する。この搬送確認モード制御と後処理確認モード制御については、後述する詳細処理手順において詳しく説明する。
【００８３】
〈ジャム処理制御〉
・画像形成装置１００での動作：
画像形成装置１００内の各部に配置されたジャム検知センサがジャム（用紙詰まり）を検知した場合、検知結果はＣＰＵ１５１に伝達され、ＣＰＵ１５１は実行中の各種動作を停止し、ジャム処理動作を実行するよう各部を制御する。
・後処理装置４００での動作：
後処理装置４００内の各部に配置されたジャム検知センサがジャム（用紙詰まり）を検知した場合、検知結果は後処理制御部４０１に伝達され、後処理制御部４０１は実行中の各種後処理動作を停止し、ジャム処理動作を実行するよう各部を制御する。
【００８４】
また、後処理制御部４０１は、通信部４０５を介して、画像形成装置１００側の通信部１２５経由でＣＰＵ１５１にエラーを通知する。
画像形成装置１００と後処理装置４００とが専用の組み合わせであってシリアル通信で通信する場合には、エラー信号と共に、エラー発生場所やエラー発生原因等の細かな情報も通知される。画像形成装置１００と後処理装置４００との間が汎用性のあるパラレル通信である場合には、エラー信号が伝達され、エラー発生場所やエラー発生原因等の細かな情報は通知されない。
【００８５】
〈画像形成システムの動作モード〉
以下、本実施形態の画像形成システムの動作時における特徴的な動作モードについて説明する。
・搬送確認モード制御：
画像形成装置１００から後処理装置４００内に搬送された用紙が、後処理装置４００内の所定位置（たとえば、製本部４１５の用紙整合位置）まで搬送されか否かを、後処理装置４００からの信号を参照して画像形成装置１００側で判断する。
【００８６】
具体的には、例えば、画像形成装置１００から排出されて後処理装置４００内を搬送される用紙について、後処理装置４００内の所定位置まで搬送される時間が経過した時点で、後処理装置４００内でエラー信号が発生していない場合には、用紙が正常に所定位置まで搬送されたと判断できる。なお、後処理装置４００から画像形成装置１００に対して、正常搬送を示す正常搬送信号を通知するようにしても良い。
【００８７】
ここで、ｎ枚の用紙で１部としての後処理を実行する設定である場合に、ｍ＜ｎであるｍを第１の所定枚数として、ｍ枚の用紙を画像形成装置１００から排出して後処理装置４００で搬送に異常がないと確認されるまで、画像形成装置１００側でｍ＋１枚目以降の用紙の給紙を一時中断する動作モードである。なお、機械停止時の機内残留用紙を少なくし、設定が正常な場合の作像の生産性を高くするという観点から、ｍについては１〜３枚程度とすることが望ましい。なお、ｍ＝１とすると機械停止時の機内残留用紙を最低限とすることができる。一方、ｍ＝２〜３とすると、確実な搬送確認を行うことができる。
【００８８】
また、給紙の一時停止とは、給紙部１３０からの用紙送り出しの一時停止でも良いが、レジストローラ１２４１の位置やその他の位置での搬送の一時停止とすることで生産性を高めることが可能である。
・後処理確認モード制御：
画像形成装置１００から後処理装置４００内に搬送された用紙束が、後処理装置４００内で所定の後処理が実行して完了したか否かを、後処理装置４００からの信号を参照して画像形成装置１００側で判断する。具体的には、画像形成装置１００から排出されて後処理装置４００内を搬送されて後処理される用紙について、後処理装置４００内の後処理部４１０で所定の後処理が実行される時間が経過した時点で、後処理装置４００からエラー信号が発生していない場合（又は、後処理装置４００からエラー信号が発生しておらず、ビジー信号がアクティブから非アクティブに変化した場合等）には、用紙が正常に後処理されたと判断できる。なお、後処理装置４００から画像形成装置１００に対して、正常後処理完了を示す正常後処理完了信号を通知するようにしても良い。
【００８９】
ここで、第２の所定枚数をｎ枚として、ある部のｎ枚の用紙を画像形成装置１００から排出して後処理装置４００で後処理を実行する際に後処理実行に異常がないと確認されるまで、画像形成装置１００側では次の部の１枚目の用紙の給紙を一時中断する動作モードである。
【００９０】
この場合も、給紙の一時停止とは、給紙部１３０からの用紙送り出しの一時停止でも良いが、レジストローラ１２４１の位置やその他の位置での搬送の一時停止とすることで生産性を高めることが可能である。
・通常動作モード制御：
ジャム等の異常がない限り給紙の停止などを行わず、画像形成装置１００での画像形成と後処理装置４００での後処理とを並行して実行していく、通常時の動作モードである。
【００９１】
〈画像形成システムの詳細処理手順〉
以下、本実施形態の画像形成システムの動作、画像形成制御方法について、フローチャートや画面説明図などを利用して具体例を用いつつ、特徴部分を中心にして詳細に説明する。
【００９２】
１部あたり複数ページからなる冊子を複数部作成する画像形成と後処理とによるジョブを画像形成システムにおいて実行する際の処理手順について、図７のフローチャートを参照して説明する。また、ここでは、１部あたり５枚の用紙からなる冊子を５部作成する場合を具体例にして、図８のタイムチャートを参照して説明する。
・搬送確認モード制御（正常時）：
まず、ＣＰＵ１５１は搬送確認モードでジョブ実行を開始する（図７中のステップＳ１０１）。なお、この実施形態の画像形成システムの動作モードとしては、画像形成装置１００での画像形成と後処理装置４００での後処理とを並行して実行していく通常動作モードと、後処理装置４００でｍ枚の用紙の搬送確認を行うべく画像形成装置１００がｍ＋１枚目以降の給紙を一時中断する搬送確認モードと、後処理装置４００で用紙の後処理確認を行うべく画像形成装置１００が次の部の１枚目以降の給紙を一時中断する搬送確認モードとの３モードが存在しているが、ＣＰＵ１５１はジョブ実行開始時に搬送確認モードを設定する。ここでは、ｍ＝２である場合を具体例にする。
【００９３】
そして、ＣＰＵ１５１は、１枚の用紙を給紙部１３０からプリンタ部１２４に給紙し、イメージデータに応じた感光体１２４２への作像，作像された可視像の感光体１２４２から用紙への転写，用紙に対する可視像の定着、可視像が定着された用紙の後処理装置４００への搬送を実行するよう各部を制御する（図７中のステップＳ１０２）。
【００９４】
この搬送確認モードにおける画像形成装置１００から後処理装置４００への用紙搬送を、用紙ジャムなどの異常が発生しない限り、用紙がｍ枚に達するまで続けるようＣＰＵ１５１が各部を制御する（図７中のステップＳ１０２、Ｓ１０３でＮＯ、Ｓ１０４で「搬送確認」、Ｓ１０６でＮＯ、Ｓ１０２…）。
【００９５】
そして、給紙すべき用紙がｍ＋１枚目であれば（図７中のステップＳ１０６でＹＥＳ）、ＣＰＵ１５１の制御により給紙部１３０からｍ＋１枚目の用紙の給紙を中断する（図７中のステップＳ１０７）。図８（ａ）はｍ＝２とした場合の、ジョブ実行開始の１部目の搬送確認モードにおいて、ｍ＋１枚目である３枚目の給紙を一時中断した状態を示している。
【００９６】
この給紙一時中断状態において、ＣＰＵ１５１は後処理装置４００から信号を監視しており、画像形成装置１００から後処理装置４００内に搬送された用紙が、後処理装置４００内の所定位置（たとえば、製本部４１５の用紙整合位置）まで搬送されか否かを、後処理装置４００からの信号を参照して判断する（図７中のステップＳ１０８でＮＯ、Ｓ１０９でＮＯ、Ｓ１０８でＹＥＳ）。例えば、画像形成装置１００から排出されて後処理装置４００内を搬送される用紙について、後処理装置４００内の所定位置まで搬送される時間が経過した時点で、後処理装置４００内でエラー信号が発生していない場合には、又は、後処理装置４００から正常搬送信号が発生した場合には、ＣＰＵ１５１は、用紙が後処理装置４００において正常に所定位置まで搬送されたと判断する（図８（ａ）の搬送確認モードの「確認」）。なお、後処理装置４００内の所定位置まで搬送される時間とは、搬送距離と搬送速度から予め算出し、ＣＰＵ１５１が不揮発メモリ１５９ｃ等に記憶させておくことが可能である。
【００９７】
この搬送確認モードにおいて後処理装置４００で何らかの異常が発生してエラー信号が発生した場合には（図７中のステップＳ１０９でＹＥＳ）、後述する異常時モード変更処理（図７中のステップＳ１１６〜）に進む。
【００９８】
この搬送確認モードにおいて後処理装置４００で何ら異常が発生せず用紙が所定位置に搬送されたとＣＰＵ１５１が判断する場合には（図７中のステップＳ１０８でＹＥＳ）、搬送確認モードから後処理確認モードに変更する（図７中のステップＳ１１０）。
・後処理確認モード制御（正常時）：
画像形成装置１００は後処理確認モードとして、ｍ＋１枚目以降の用紙について、イメージデータに応じた感光体１２４２への作像，作像された可視像の感光体１２４２から用紙への転写，用紙に対する可視像の定着、可視像が定着された用紙の後処理装置４００への搬送を開始し、用紙ジャムなどの異常が発生しない限り、用紙が部内の終わりであるｎ枚に達するまで続けるようＣＰＵ１５１が各部を制御する（図７中のステップＳ１０２、Ｓ１０３でＮＯ、Ｓ１０４で「後処理確認」、Ｓ１１１でＮＯ、Ｓ１０２…、図８（ａ）の用紙３枚目以降）。
【００９９】
そして、後処理確認モードとしてｎ枚目の給紙を完了したら（図７中のステップＳ１１１でＹＥＳ）、ＣＰＵ１５１の制御により給紙部１３０から次の部の１枚目の用紙の給紙を中断する（図７中のステップＳ１１２）。図８（ａ），（ｂ）はｎ＝５とした場合の、１部目の後処理確認モードにおいて、次の部の１枚目の給紙を一時中断した状態を示している。
【０１００】
この給紙一時中断状態において、ＣＰＵ１５１は後処理装置４００から信号を監視しており、画像形成装置１００から後処理装置４００内に搬送された用紙が、後処理装置４００内で所定の後処理（例えば、中綴じ製本処理）が実行して完了したか否かを、後処理装置４００からの信号を参照して側で判断する（図７中のステップＳ１１３でＮＯ、Ｓ１１４でＮＯ、Ｓ１１３でＹＥＳ）。例えば、画像形成装置１００から排出されて後処理装置４００内を搬送されて用紙束について、後処理装置４００内の後処理部４１０で所定の後処理が実行される時間が経過した時点で、後処理装置４００からエラー信号が発生していない場合（又は、後処理装置４００からエラー信号が発生しておらず、ビジー信号がアクティブから非アクティブに変化した場合等）には、ＣＰＵ１５１は用紙束が正常に後処理されて排出されたと判断する（図８（ｂ）の後処理確認モードの「確認」）。なお、後処理装置４００内の所定の後処理が実行される時間とは、後処理部４１０での処理時間や後処理部４１０からの排出時間を予め算出し、ＣＰＵ１５１が不揮発メモリ１５９ｃ等に記憶させておくことが可能である。
【０１０１】
この後処理確認モードにおいて何らかの異常が発生してエラー信号が発生した場合には（図７中のステップＳ１１４でＹＥＳ）、後述する異常時モード変更処理（図７中のステップＳ１１６〜）に進む。
【０１０２】
この後処理確認モードにおいて何ら異常が発生せず用紙束が後処理されて排出されたとＣＰＵ１５１が判断する場合には（図７中のステップＳ１１３でＹＥＳ）、後処理確認モードから通常動作モードに変更する（図７中のステップＳ１１５）。
・通常動作モード制御（正常時）：
画像形成装置１００は通常動作モードとして、２部目の１枚目以降の用紙について、イメージデータに応じた感光体１２４２への作像，作像された可視像の感光体１２４２から用紙への転写，用紙に対する可視像の定着、可視像が定着された用紙の後処理装置４００への搬送を開始し、用紙ジャムなどの異常が発生しない限り、３部目、４部目、５部目、と設定されたジョブについての処理が完了するまで続けるようＣＰＵ１５１が各部を制御する（図７中のステップＳ１０２、Ｓ１０３でＮＯ、Ｓ１０４で「通常動作」、Ｓ１０５でＮＯ、図８（ｂ）〜（ｅ）の通常動作モード）。
・搬送確認モード制御（異常時）：
搬送確認モードで動作中の画像形成装置１００か後処理装置４００で異常が発生してエラー信号が発生した場合（図７中のステップＳ１０３でＹＥＳ、（Ａ）、Ｓ１１６で「搬送確認」）、後処理装置４００における用紙サイズの設定が間違っていて後処理装置４００内の用紙搬送に問題が生じている可能性が高い。
【０１０３】
そこで、ＣＰＵ１５１は、操作表示部１０３に、オペレータに対して用紙サイズの設定を正しい値に変更するように促す表示画面を表示する（図７中のステップＳ１１７）。
図９の表示画面１２３ａ２では、ＣＰＵ１５１の指示により、「後処理装置において用紙サイズの設定を変更して下さい  搬送異常の用紙を取り除いて下さい」とメッセージ表示１２３ａｍ２が表示されている。この表示画面に従い、オペレータは正しい用紙サイズの設定を後処理装置４００の操作表示部４２３にて行うと共に、搬送異常となった用紙を除去する（図７中のステップＳ１１９）。
【０１０４】
そして、ＣＰＵ１５１は、画像形成システムの動作モードを再び搬送確認モードにセットし（図７中のステップＳ１１８）、上述した搬送確認モード制御（正常時）（図７中のステップＳ１０２〜Ｓ１０８、Ｓ１０９）を再びやり直す。
・後処理確認モード制御（異常時）：
後処理確認モードで動作中の画像形成装置１００か後処理装置４００で異常が発生してエラー信号が発生した場合（図７中のステップＳ１０３でＹＥＳ、（Ａ）、Ｓ１１６で「後処理確認」）、後処理確認モードにおける給紙一時中断中のタイミング以外であれば（図７中のステップＳ１２０でＮＯ）、搬送確認モードは完了しており、かつ、後処理実行中でもなく、通常動作モードと同じ動作中のエラーである。そこで、ＣＰＵ１５１は、操作表示部１０３に、オペレータに対して、設定確認・変更を促す表示画面を表示する（図７中のステップＳ１２１）。図１０の表示画面１２３ａ３では、ＣＰＵ１５１の指示により、「設定を確認・変更して下さい  搬送異常の用紙を取り除いて下さい」とメッセージ表示１２３ａｍ３が表示されている。この表示画面に従い、オペレータは正しい設定を操作表示部１２３か操作表示部４２３にて行う。
【０１０５】
後処理確認モードで動作中の画像形成装置１００か後処理装置４００で異常が発生してエラー信号が発生した場合（図７中のステップＳ１０３でＹＥＳ、（Ａ）、Ｓ１１６で「後処理確認」）、後処理確認モードにおける給紙一時中断中のタイミングであれば（図７中のステップＳ１２０でＹＥＳ）、搬送確認モードは完了しており、かつ、後処理実行中のエラーであるため、後処理装置４００における用紙束厚の設定が間違っていて、後処理部４１０での中綴じ製本等で問題が生じている可能性が高い。そこで、ＣＰＵ１５１は、操作表示部１０３に、オペレータに対して、用紙束厚の設定変更を促す表示画面を表示する（図７中のステップＳ１２２）。図１１の表示画面１２３ａ４では、ＣＰＵ１５１の指示により、「後処理装置において用紙束の厚み設定を変更して下さい  後処理異常の用紙を取り除いて下さい」とメッセージ表示１２３ａｍ４が表示されている。この表示画面に従い、オペレータは正しい設定を操作表示部４２３にて行う。
【０１０６】
なお、この時点で動作中のモードは後処理確認モードであり、搬送確認モードは完了しているため、異常が発生した場合でも用紙サイズを変更することは無いと考えられる。但し、それでも、オペレータにより用紙サイズの設定が変更される可能性はゼロではない。そして、後処理装置４００の操作表示部４２３にて用紙サイズの設定が変更されたとしても、ＣＰＵ１５１はその変更を知ることができない。そこで、このタイミングでの設定変更を用紙サイズの設定変更とみなす、というように、ＤＩＰスイッチや管理画面の設定で、予め設定しておくことが可能である（図７中のステップＳ１２３）。
【０１０７】
この後処理確認モードでの異常発生に対するオペレータの設定変更を用紙サイズ変更と見なす設定ではない場合（図７中のステップＳ１２３でＮＯ）、異常が画像形成装置１００で発生した場合（図７中のステップＳ１２４でＮＯ）、通常の異常発生と考えられるため、動作モードの変更は行わず、異常となった用紙をオペレータが除去（図７中のステップＳ１１９）した後に、ＣＰＵ１５１は、画像形成システムの動作モードをそれまでと同じ後処理確認モードとして、上述した後処理確認モード制御（正常時）（図７中のステップＳ１０２〜Ｓ１０４、Ｓ１１１〜Ｓ１１３、Ｓ１１４）を繰り返す。
【０１０８】
この後処理確認モードでの異常発生に対するオペレータの設定変更を用紙サイズ変更と見なす設定ではなく（図７中のステップＳ１２３でＮＯ）、異常が後処理装置４００で発生した場合（図７中のステップＳ１２４でＹＥＳ）、または、後処理確認モードでの異常発生に対するオペレータの設定変更を用紙サイズ変更と見なす設定である場合（図７中のステップＳ１２３でＹＥＳ）、設定変更に伴って搬送確認モードを再び実行し直す必要があるため、ＣＰＵ１５１は動作モードを搬送確認モードに変更する（図７中のステップＳ１２５）。そして、異常となった用紙をオペレータが除去（図７中のステップＳ１１９）した後に、ＣＰＵ１５１は、画像形成システムの動作モードを搬送確認モードとして、上述した搬送確認モード制御（正常時）（図７中のステップＳ１０２〜Ｓ１０８、Ｓ１０９）を再びやり直す。
・通常動作モード制御（異常時）：
通常動作モードで動作中の画像形成装置１００か後処理装置４００で異常が発生してエラー信号が発生した場合（図７中のステップＳ１０３でＹＥＳ、（Ａ）、Ｓ１１６で「通常動作」）、搬送確認モードや後処理確認モードは完了しており、一般的な動作中のエラーである。そこで、ＣＰＵ１５１は、操作表示部１０３に、オペレータに対して、設定確認・変更を促す表示画面を表示する（図７中のステップＳ１２６）。この場合、図１０の表示画面１２３ａ３のように、ＣＰＵ１５１の指示により、「設定を確認・変更して下さい  搬送異常の用紙を取り除いて下さい」とメッセージ表示１２３ａｍ３が表示されている。この表示画面に従い、オペレータは正しい設定を操作表示部１２３か操作表示部４２３にて行う。
【０１０９】
なお、この時点で動作中のモードは通常動作モードであり、搬送確認モードや後処理確認モードは完了しているため、異常が発生した場合でも用紙サイズを変更することは無いと考えられる。但し、それでも、オペレータにより用紙サイズの設定が変更される可能性はゼロではない。そして、後処理装置４００の操作表示部４２３にて用紙サイズの設定が変更されたとしても、ＣＰＵ１５１はその変更を知ることができない。そこで、このタイミングでの設定変更を用紙サイズの設定変更とみなす、というように、ＤＩＰスイッチや管理画面の設定で、予め設定しておくことが可能である（図７中のステップＳ１２７）。
【０１１０】
この通常動作モードでの異常発生に対するオペレータの設定変更を用紙サイズ変更と見なす設定ではない場合（図７中のステップＳ１２７でＮＯ）、異常が画像形成装置１００で発生した場合（図７中のステップＳ１２９でＮＯ）、通常の異常発生と考えられるため、動作モードの変更は行わず、異常となった用紙をオペレータが除去（図７中のステップＳ１１９）した後に、ＣＰＵ１５１は、画像形成システムの動作モードをそれまでと同じ通常動作モードとして、上述した通常確認モード制御（正常時）（図７中のステップＳ１０２、Ｓ１０３でＮＯ、Ｓ１０４で「通常動作」、Ｓ１０５）を繰り返す。
【０１１１】
この通常動作モードでの異常発生に対するオペレータの設定変更を用紙サイズ変更と見なす設定である場合（図７中のステップＳ１２７でＹＥＳ）、設定変更に伴って搬送確認モードを再び実行し直す必要があるため、ＣＰＵ１５１は動作モードを搬送確認モードに変更する（図７中のステップＳ１２８）。そして、異常となった用紙をオペレータが除去（図７中のステップＳ１１９）した後に、ＣＰＵ１５１は、画像形成システムの動作モードを搬送確認モードとして、上述した搬送確認モード制御（正常時）（図７中のステップＳ１０２〜Ｓ１０８、Ｓ１０９）を再びやり直す。
【０１１２】
この通常動作モードでの異常発生に対するオペレータの設定変更を用紙サイズ変更と見なす設定ではなく（図７中のステップＳ１２７でＮＯ）、異常が後処理装置４００で発生した場合（図７中のステップＳ１２９でＹＥＳ）、後処理確認モードを再び実行し直す必要があるため、ＣＰＵ１５１は動作モードを後処理確認モードに変更する（図７中のステップＳ１３０）。そして、異常となった用紙をオペレータが除去（図７中のステップＳ１１９）した後に、ＣＰＵ１５１は、画像形成システムの動作モードを後処理確認モードとして、上述した後処理確認モード制御（正常時）（図７中のステップＳ１０２〜Ｓ１０４、Ｓ１１１〜Ｓ１１３、Ｓ１１４）を繰り返す。
【０１１３】
〈その他の実施形態〉
なお、以上の実施形態において、後処理部４１０に設定されている後処理の内容によって、用紙束厚の影響で後処理確認モードが必要な場合と、用紙束厚の影響で後処理確認モードが不要な場合とがある。例えば、中綴じ製本処理や糊付け製本処理などでは、用紙束厚が重要であり、設定が異なっているとエラーが発生する。また、例えば、スタック処理、中折り処理、パンチ処理などでは、用紙束厚の設定が違っていることを理由としてエラーが発生するとは限らない。
【０１１４】
そこで、ＣＰＵ１５１は、動作開始時に図１２のような表示画面１２３ａ５を操作表示部１２３に表示して、オペレータにより後処理確認モードの実行有無を選択させることが可能である。この場合に、オペレータが後処理確認モードを実行しないと選択することも可能である。
【０１１５】
後処理確認モードを実行しないと選択された場合には、ＣＰＵ１５１は、搬送確認モードと通常動作モードにより画像形成システムを制御する。これにより、後処理の内容に配慮された無駄のない適切なモードで動作を制御することができ、生産性を高めることが可能になる。
【０１１６】
また、以上の各実施形態において、操作表示部１２３に図９−図１２の表示画面やメッセージを表示しているが、このような表示画面やメッセージを表示するための表示信号をＣＰＵ１５１が生成し、ＬＡＮ−ＩＦ部１１２や通信部１２５を介して表示信号を外部機器１０やオペレータ近傍に位置するタブレット端末等（図示せず）に送信することも可能である。
【０１１７】
このように、後処理装置４００側で異常が発生した場合に、用紙に関する設定変更を促すメッセージを表示する表示信号を生成するよう制御することにより、画像形成装置１００に後処理装置４００が接続され、外部の表示装置を用いた場合であっても、異常による一時停止が後処理の設定に配慮された動作状態となり後処理装置４００側で正しい用紙情報が設定されていない場合においても異常停止時の機内残留用紙を少なくし、設定が正常な場合の作像の生産性を高くすることが可能になる。
【０１１８】
〈実施形態により得られる効果〉
以上の実施形態では、画像形成装置１００から所定枚数の用紙を後処理装置４００に搬送した時点で搬送を一時中断し、後処理装置４００が正常に動作したかを判断し、正常と判断された場合に搬送を再開するよう制御することにより、画像形成装置１００に後処理装置４００が接続されている場合において、後処理装置４００側で正しい用紙情報が設定されていない場合においても異常停止時の機内残留用紙を少なくし、設定が正常な場合の作像の生産性を高くすることが可能になる。
【０１１９】
すなわち、第１の所定枚数の用紙を後処理装置４００に搬送した時点で搬送を一時中断し後処理装置４００が用紙を正常に搬送したかを判断し、第２の所定枚数の用紙を後処理装置４００に搬送した時点で搬送を一時中断し後処理装置４００が用紙を正常に処理したかを判断することにより、画像形成装置１００に後処理装置４００が接続されている場合において、後処理装置４００内での正常搬送と正常処理とを正確に判断することができるため、後処理装置４００側で正しい用紙情報が設定されていない場合においても異常停止時の機内残留用紙を少なくし、設定が正常な場合の作像の生産性を高くすることが可能になる。
【０１２０】
また、所定間隔で用紙を搬送しつつ動作する通常動作モードと、後処理装置４００内部で第１の所定枚数の用紙が所定位置まで搬送されたかを確認するまで用紙の搬送を一時中断する搬送確認モードと、後処理装置４００内部で第２の所定枚数の用紙が正常に後処理されたかを確認するまで用紙の搬送を一時中断する後処理確認モードと、のいずれかのモードにより制御することにより、画像形成装置１００に後処理装置４００が接続されている場合において、後処理装置４００内での搬送確認と後処理確認とを正確に実行することができるため、後処理装置４００側で正しい用紙情報が設定されていない場合においても異常停止時の機内残留用紙を少なくし、設定が正常な場合の作像の生産性を高くすることが可能になる。
【０１２１】
また、ｎ枚の用紙で１部としての後処理を実行する設定である場合に、ｍ＜ｎであるｍを第１の所定枚数として、ｍ枚の用紙について、搬送確認モードで制御し、搬送確認モードにおいて搬送が確認された場合には、第２の所定枚数であるｎ枚の用紙について後処理確認モードで制御することにより、画像形成装置１００に後処理装置４００が接続されている場合において、後処理装置４００内での搬送確認と後処理確認とを正確かつ効率良く実行することができるため、後処理装置４００側で正しい用紙情報が設定されていない場合においても異常停止時の機内残留用紙を少なくし、設定が正常な場合の作像の生産性を高くすることが可能になる。
【０１２２】
また、後処理確認モードにおいて後処理されたことが確認された後は、搬送確認モードと後処理確認モードの一時中断の制御を行わずに、通常動作モードを実行するよう制御することにより、画像形成装置１００に後処理装置４００が接続されている場合において、後処理装置４００内での搬送確認と後処理確認とを正確かつ効率良く実行することができるため、後処理装置４００側で正しい用紙情報が設定されていない場合においても異常停止時の機内残留用紙を少なくし、設定が正常な場合の作像の生産性を高くすることが可能になる。
【０１２３】
また、画像形成装置１００側又は後処理装置４００側のいずれかで異常が発生した場合において、異常発生時のモードと異常の発生場所とに応じて、再開時のモードを切り替える機能を有することにより、画像形成装置１００に後処理装置４００が接続されている場合において、異常発生状況に応じた適切なモードで動作を再開できるため、後処理装置４００側で正しい用紙情報が設定されていない場合においても異常停止時の機内残留用紙を少なくし、設定が正常な場合の作像の生産性を高くすることが可能になる。
【０１２４】
また、異常発生時が後処理確認モードである場合において、異常が画像形成装置１００側であれば再開を後処理確認モードとし、異常が後処理装置４００側であれば再開を搬送確認モードとすることにより、画像形成装置１００に後処理装置４００が接続されている場合において、後処理装置４００側の異常発生状況に応じた適切なモードで動作を再開できるため、後処理装置４００側で正しい用紙情報が設定されていない場合においても異常停止時の機内残留用紙を少なくし、設定が正常な場合の作像の生産性を高くすることが可能になる。
【０１２５】
また、異常発生時が通常動作モードである場合において、異常が画像形成装置１００側であれば再開を通常動作モードとし、異常が後処理装置４００側であれば再開を後処理確認モードとすることにより、画像形成装置１００に後処理装置４００が接続されている場合において、後処理装置４００側の動作安定性に配慮した適切なモードで動作を再開できるため、後処理装置４００側で正しい用紙情報が設定されていない場合においても異常停止時の機内残留用紙を少なくし、設定が正常な場合の作像の生産性を高くすることが可能になる。
【０１２６】
また、画像形成装置１００側又は後処理装置４００側のいずれかで異常が発生した場合に、異常発生時が後処理確認モード又は通常動作モードであれば、再開を搬送確認モードとすることにより、画像形成装置１００に後処理装置４００が接続されている場合において、動作安定性に配慮した適切なモードで動作を再開できるため、後処理装置４００側で正しい用紙情報が設定されていない場合においても異常停止時の機内残留用紙を少なくし、設定が正常な場合の作像の生産性を高くすることが可能になる。
【０１２７】
また、画像形成装置１００側又は後処理装置４００側のいずれかで異常が発生した場合に、異常発生時が後処理確認モード又は通常動作モードであれば、再開を異常発生時と同じモードとすることにより、搬送確認モードを重複して実行する必要がなくなり、画像形成装置１００に後処理装置４００が接続されている場合において、動作安定性と生産性とに配慮した適切なモードで動作を再開できるため、後処理装置４００側で正しい用紙情報が設定されていない場合においても異常停止時の機内残留用紙を少なくし、設定が正常な場合の作像の生産性を高くすることが可能になる。
【０１２８】
また、画像形成装置１００側又は後処理装置４００側のいずれかで異常が発生した場合でも、異常発生時が搬送確認モードであれば、再開を搬送確認モードとすることにより、画像形成装置１００に後処理装置４００が接続されている場合において、動作安定性に配慮した適切なモードで動作を再開できるため、後処理装置４００側で正しい用紙情報が設定されていない場合においても異常停止時の機内残留用紙を少なくし、設定が正常な場合の作像の生産性を高くすることが可能になる。
【０１２９】
また、後処理装置４００側で異常が発生した場合に、用紙に関する設定変更を促すメッセージを表示する表示信号を生成するよう制御することにより、画像形成装置１００に後処理装置４００が接続されている場合において、異常による一時停止が後処理の設定に配慮された動作状態となり後処理装置４００側で正しい用紙情報が設定されていない場合においても異常停止時の機内残留用紙を少なくし、設定が正常な場合の作像の生産性を高くすることが可能になる。
【０１３０】
また、搬送確認モードで動作中の後処理装置４００側で異常が発生した場合に、用紙のサイズに関する設定変更を促すメッセージを表示する表示信号を生成するよう制御し、後処理確認モードで動作中の後処理装置４００側で異常が発生した場合に、用紙の厚みに関する設定変更を促すメッセージを表示する表示信号を生成するよう制御することにより、画像形成装置１００に後処理装置４００が接続されている場合において、異常による一時停止が異常要因に配慮された動作状態となり後処理装置４００側で正しい用紙情報が設定されていない場合においても異常停止時の機内残留用紙を少なくし、設定が正常な場合の作像の生産性を高くすることが可能になる。
【０１３１】
また、後処理装置４００は、用紙に関する設定を入力可能な操作表示部４２３と、操作表示部４２３から入力された設定に応じて用紙に対する後処理を実行する後処理部４１０と、を有することにより、後処理の設定に配慮された状態で動作させることが可能となり、画像形成装置１００と後処理装置４００との間で各種設定情報を通知できない場合や、後処理装置４００側で正しい用紙情報が設定されていない場合においても、異常停止時の機内残留用紙を少なくし、設定が正常な場合の作像の生産性を高くすることが可能になる。
【符号の説明】
【０１３２】
１００  画像形成装置
１１０  プリンタコントローラ
１１１  ＣＰＵ
１１２  ＬＡＮ−ＩＦ部
１１３  画像メモリ
１１４  ハードディスク装置（ＨＤＤ）
１１５  ＤＲＡＭ制御部
１２２  スキャナ部
１２３  操作表示部
１２４  プリンタ部
１３０  給紙部
１５０  主制御部
１５１  ＣＰＵ
１５２  読み取り処理部
１５３  ＤＲＡＭ制御部
１５４  圧縮伸長部
１５５  画像メモリ
１５６  ハードディスク装置（ＨＤＤ）
１５８  書き込み処理部
１５９ａ  ＲＯＭ
１５９ｂ  ＲＡＭ
１５９ｃ  不揮発メモリ
４００  後処理装置
４０１  後処理制御部
４０５  通信部
４１０  後処理部
４２３  操作表示部
【図１】
2015072428.tif 000003
【図２】
2015072428.tif 000004
【図３】
2015072428.tif 000005
【図４】
2015072428.tif 000006
【図６】
2015072428.tif 000007
【図７】
2015072428.tif 000008
【図８】
2015072428.tif 000009
【図５】
2015072428.tif 000010
【図９】
2015072428.tif 000011
【図１０】
2015072428.tif 000012
【図１１】
2015072428.tif 000013
【図１２】
2015072428.tif 000014